(57)【要約】  光学シートを平坦に配置しつつ光学シートの無用な振動及び熱膨張に起因する無用な変形を抑制することができる表示装置を提供する。  光学シート２１の周縁部の一部（図中ハッチング部分）を挟持することによって、光学シート２１の無用な振動を抑制し、光学シート２１の周縁部の残部を挟持しないことによって、熱膨張に起因する光学シート２１の無用な変形を抑制する。しかも、無用な振動を抑制することと無用な変形を抑制することとを両立させるために光学シート２１を湾曲配置する必要はない。従って、光学シート２１を平坦に配置することができる。故に、表示装置１の組立性及び表示品位を向上させることができる。
2016002027.tif 000002
【特許請求の範囲】
【請求項１】
表示パネルと、
該表示パネルを背面側から照明する光源装置と、
前記表示パネル及び光源装置の間に配されている光学シートと、
該光学シートを支持するための支持部と
を備える表示装置において、
前記光学シートの周縁部の一部は前記表示パネルと前記支持部とに挟持されており、
前記光学シートの周縁部の残部は前記表示パネルと前記支持部とに挟持されていないことを特徴とする表示装置。
【請求項２】
前記光学シートは矩形状をなし、
前記光学シートの一の対向２辺部の対向する部分が挟持されていることを特徴とする請求項１に記載の表示装置。
【請求項３】
前記光学シートは縦姿勢に配されており、
前記一の対向２辺部は２個の縦辺部であり、
前記光学シートの少なくとも下辺部が前記表示パネルと前記支持部とに挟持されていないことを特徴とする請求項２に記載の表示装置。
【請求項４】
前記光源装置は、光源と該光源が発した光を前記表示パネルの背面側へ導く導光部材とを有しており、
前記周縁部の前記光源から遠い部分の少なくとも一部は挟持されており、
前記周縁部の前記光源に近い部分は挟持されていないことを特徴とする請求項１乃至３の何れか一項に記載の表示装置。
【発明の詳細な説明】
【技術分野】
【０００１】
本発明は、表示パネルと光源装置との間に光学シートが配されている表示装置に関する。
【背景技術】
【０００２】
液晶表示装置は、映像を表示する液晶表示パネルと、液晶表示パネルの背面側から液晶表示パネルを照明する光源装置とを備えている。液晶表示パネルと光源装置との間には、光学シート群が配されている。光源装置の正面から出射した光は、光学シート群による拡散及び集光等を経て、液晶表示パネルに入射する。
以下では、液晶表示パネルが縦姿勢で配されている場合について説明する。【０００３】
液晶表示パネルは、正面側の枠状支持部材（例えばベゼル）と背面側の枠状支持部材（例えばＰシャーシ）との間に挟持されている。
光源装置は、蛍光管又はＬＥＤ等を用いてなる光源と、光源が発した光を表示パネルの背面側へ導く導光板又は拡散板等の導光部材と、光源及び導光部材を収容しているバックライトシャーシ（以下、ＢＬシャーシという）とを有している。
光学シート群の周縁部は、液晶表示パネルとＰシャーシとの間、又はＰシャーシとＢＬシャーシとの間に配されている。光学シート群を構成する各光学シートは、一般に、液晶表示パネルに平行である。【０００４】
光学シートは、光源装置が発する熱によって膨張する。従って、光学シート群の周縁部が全周に亘って完全に固定（例えば液晶表示パネルとＰシャーシとの間に挟持）されている場合、光学シートの熱膨張が阻害されるので、光学シートに撓み又はしわ等の変形が生じる虞がある。【０００５】
かといって、光学シート群の周縁部が全く固定されていない（例えばＰシャーシとＢＬシャーシとの間に形成された溝に遊挿されている）場合、光学シートが液晶表示パネルに対して摺動又は衝突することによって、液晶表示パネルが損傷する虞がある。光学シートの摺動又は衝突は、例えば液晶表示装置に外力が加えられたときに起きる光学シートの無用な振動（いわゆる光学シートのばたつき）に起因する。【０００６】
従来、自重による光学シートの座屈を抑制する液晶表示装置が提案されている（特許文献１参照）。
特許文献１に記載の光学シートは、横方向中央部が液晶表示パネルから離隔するよう湾曲している。湾曲した光学シートは平坦な光学シートよりも座屈荷重が大きいので、自重による光学シートの座屈が抑制される。【０００７】
特許文献１に記載の光学シートの周縁部は、溝に遊挿してある。従って、光学シートの熱膨張に起因する光学シートの変形は生じ難い。また、光学シートは液晶表示パネルから離隔するよう湾曲しているので、液晶表示パネルに摺動及び衝突し難い。即ち、光学シートのばたつきに起因する液晶表示パネルの損傷が生じ難い。
【先行技術文献】
【特許文献】
【０００８】
【特許文献１】特開２００７−８６６４８号公報
【発明の概要】
【発明が解決しようとする課題】
【０００９】
しかしながら、特許文献１に記載の光学シートの場合、例えば液晶表示装置に大きな外力が印加されて、光学シートが液晶表示パネルに対する接離方向に大きく振動した場合には、光学シートが液晶表示パネル側に湾曲し、液晶表示パネルに摺動又は衝突して液晶表示パネルを損傷させてしまう虞がある。【００１０】
また、光学シートの湾曲配置は、光学シートを平坦に配置するよりも困難である。更に、光学シートが湾曲している分、光学シートを透過した光が液晶表示パネルに均等に入射するよう工夫する必要がある。つまり、液晶表示装置の組立性及び表示品位の向上の点では、光学シートを平坦に配置する方が有利である。【００１１】
本発明は斯かる事情に鑑みてなされたものであり、その主たる目的は、平坦に配置された光学シートに関し、無用な振動を抑制することと熱膨張に起因する無用な変形を抑制することとを両立させることができる表示装置を提供することにある。
【課題を解決するための手段】
【００１２】
本発明に係る表示装置は、表示パネルと、該表示パネルを背面側から照明する光源装置と、前記表示パネル及び光源装置の間に配されている光学シートと、該光学シートを支持するための支持部とを備える表示装置において、前記光学シートの周縁部の一部は前記表示パネルと前記支持部とに挟持されており、前記光学シートの周縁部の残部は前記表示パネルと前記支持部とに挟持されていないことを特徴とする。【００１３】
本発明に係る表示装置は、前記光学シートは矩形状をなし、前記光学シートの一の対向２辺部の対向する部分が挟持されていることを特徴とする。【００１４】
本発明に係る表示装置は、前記光学シートは縦姿勢に配されており、前記一の対向２辺部は２個の縦辺部であり、前記光学シートの少なくとも下辺部が前記表示パネルと前記支持部とに挟持されていないことを特徴とする。【００１５】
本発明に係る表示装置は、前記光源装置は、光源と該光源が発した光を前記表示パネルの背面側へ導く導光部材とを有しており、前記周縁部の前記光源から遠い部分の少なくとも一部は挟持されており、前記周縁部の前記光源に近い部分は挟持されていないことを特徴とする。【００１６】
本発明にあっては、光学シートの周縁部の一部は、表示パネルと支持部とに挟持されることによって固定されている。故に、光学シートの無用な振動が抑制される。
一方、光学シートの周縁部の残部には、表示パネルと支持部との挟持による固定が為されていない。故に、光学シートの熱膨張は阻害されない。つまり、熱膨張に起因する光学シートの無用な変形が抑制される。【００１７】
光学シートの周縁方向に関し、挟持による固定が為されている範囲が長いほど、光学シートの無用な振動が抑制され易い。一方、挟持による固定が為されていない範囲が長いほど、熱膨張に起因する光学シートの無用な変形が抑制され易い。故に、振動の抑制及び変形の抑制の兼ね合いに応じて、挟持する範囲が設計してあればよい。
また、光学シートの周縁部における適宜の部分を挟持すれば、光学シートを湾曲配置する必要はない。【００１８】
本発明にあっては、矩形状の光学シートにおける一の対向２辺部の対向する部分が、表示パネルと支持部とに挟持されることによって固定されている。
光学シートに対し、挟持されている部分の対向方向に張力を与えた場合、光学シートの姿勢を平坦状に保ち易い。
一の対向２辺部の全部が挟持されている場合、矩形状の光学シートにおける他の対向２辺部の少なくとも一部は挟持されていない。【００１９】
本発明にあっては、縦姿勢に配された矩形状の光学シートにおける２個の縦辺部の対向する部分が、表示パネルと支持部とに挟持されることによって固定されている。
光学シートの他の対向２辺部における少なくとも下辺部には、表示パネルと支持部との挟持による固定が為されていない。従って、光学シートの熱膨張及び自重による光学シートの伸びは阻害されない。つまり、熱膨張及び自重に起因する光学シートの無用な変形が抑制される。【００２０】
本発明にあっては、光学シートの周縁部における光源から遠い部分は、表示パネルと支持部とに挟持されることによって固定されている。一方、光学シートの周縁部における光源に近い部分には、表示パネルと支持部との挟持による固定が為されていない。
光源から遠い部分に比べて、光源に近い部分には、光源が発した熱が伝達し易い。故に、光学シートの光源に近い部分は、光源から遠い部分に比べて熱膨張し易い。つまり、光学シートの熱膨張し易い部分が固定されていないので、熱膨張に起因する光学シートの無用な変形が更に抑制される。
【発明の効果】
【００２１】
本発明の表示装置による場合、光学シートの周縁部の一部が固定され、残部が固定されていないので、光学シートの無用な振動と無用な変形とを共に抑制することができる。
しかも、このために光学シートを湾曲配置する必要がないので、光学シートを平坦に配置することができる。故に、液晶表示装置の組立性及び表示品位を向上させることができる。
【図面の簡単な説明】
【００２２】
【図１】本発明の実施の形態１に係る表示装置における光学シート群の上辺部近傍の構成を略示する断面図である。
【図２】表示装置における光学シート群の下辺部近傍の構成を略示する断面図である。
【図３】表示装置における光学シート群の左辺部近傍の構成を略示する断面図である。
【図４】表示装置が備える光学シート群の挟持／非挟持範囲を略示する正面図である。
【図５】本発明の実施の形態２に係る表示装置における光学シート群の右辺上部近傍の構成を略示する断面図である。
【図６】表示装置の右辺下部近傍の構成を略示する断面図である。
【図７】表示装置が備える光学シート群の挟持／非挟持範囲を略示する正面図である。
【図８】本発明の実施の形態３に係る表示装置が備える光学シート群の挟持／非挟持範囲を略示する正面図である。
【発明を実施するための形態】
【００２３】
以下、本発明を、その実施の形態を示す図面に基づいて詳述する。以下の説明では、図において矢符で示す上下、前後、及び左右を使用する。
【００２４】
実施の形態  １．
図１は、本発明の実施の形態１に係る表示装置１における光学シート群２の上辺部近傍の構成を略示する断面図である。
図２及び図３は、表示装置１における光学シート群２の下辺部近傍及び左辺部近傍の構成を略示する断面図である。
図４は、表示装置１が備える光学シート群２の挟持／非挟持範囲を略示する正面図である。図４中のハッチング部分は光学シート群２が挟持されている範囲を示している。
本実施の形態の表示装置１は、例えばテレビジョン受信機、電子看板、又は、パーソナルコンピュータ用のモニタ等として構成されている。
【００２５】
まず、表示装置１の構成について説明する。
表示装置１は、表示パネル１１、ベゼル１２、光学シート群２、Ｐシャーシ（支持部）３、及び光源装置４と、各不図示のヒートシンク及びキャビネット等とを備えている。
ヒートシンクは、表示装置１にて発生した熱を外部へ放出するためのものである。
キャビネットは、表示パネル１１、ベゼル１２、光学シート群２、Ｐシャーシ３、光源装置４、及びヒートシンク等を、表示パネル１１の表示領域を露出させた状態で収容する。
【００２６】
表示パネル１１は液晶表示パネルを用いてなる。表示パネル１１は矩形状になしてあり、縦姿勢で配されている。表示パネル１１は矩形状の表示領域と、表示領域を囲繞する矩形枠状の額縁領域とを有する。表示パネル１１は、正面側のガラス基板と背面側のガラス基板とを用いてなる。２枚のガラス基板の間には液晶が封止されている。表示パネル１１の透過率は、表示パネル１１の液晶に印加された電圧に応じて変化する。
【００２７】
ベゼル１２は、表示パネル１１を正面側から支持するための枠状支持部材である。ベゼル１２は、縦姿勢の矩形枠状の前面部１２１と、前面部１２１の外周縁部から後ろ向きに突出している前後方向の矩形筒状の側面部１２２とを有する。
前面部１２１は、表示パネル１１の額縁領域を正面側から覆っている。前面部１２１と表示パネル１１の額縁領域との間には、矩形枠状の緩衝部材１３１が配されている。前面部１２１の開口を通して表示パネル１１の表示領域が露出している。
【００２８】
光学シート群２は、各矩形状の複数枚の光学シート２１，２１，…が積層されてなる矩形積層体状をなす。光学シート群２は、表示パネル１１の後面に対して平行な縦姿勢に配されており、表示パネル１１の表示領域を背面側から覆っている。光学シート群２を構成している各光学シート２１は、光の拡散機能又は集光機能等を有する。
【００２９】
Ｐシャーシ３は、表示パネル１１及び光学シート群２を背面側から支持するための枠状支持部材であり、非透光性（遮光性又は光反射性等）を有する。Ｐシャーシ３は、ベゼル１２の前面部１２１よりも背面側、且つ、側面部１２２よりも内側に配されている。
Ｐシャーシ３は、前後方向の矩形筒状の基部３１と、各縦姿勢の横支持片３２，３２及び縦支持片３３，３３とを有する。
【００３０】
基部３１はベゼル１２の側面部１２２に覆われている。基部３１の前後方向中央部には、横支持片３２，３２及び縦支持片３３，３３の内向きに突設されている。更に詳細には、基部３１の上面部３１１（及び下面部３１２）には横支持片３２，３２が下向き（及び上向き）に突設されており、基部３１の側面部３１３，３１３（図３に左側の側面部３１３のみ図示）には縦支持片３３，３３が横向きに突設されている。基部３１における横支持片３２，３２及び縦支持片３３，３３の突設位置よりも前側は、表示パネル１１の周縁部を覆っている。
【００３１】
横支持片３２，３２は表示パネル１１の横辺部である上辺部及び下辺部を支持するためのものである。横支持片３２，３２と表示パネル１１の上辺部及び下辺部の額縁領域との間には、各横棒状の緩衝部材１３２，１３２が配されている。表示パネル１１の上辺部及び下辺部は、緩衝部材１３１，１３２，１３２を介して、ベゼル１２の前面部１２１とＰシャーシ３の横支持片３２，３２との間に挟持されている。
【００３２】
横支持片３２，３２の先端部分と表示パネル１１の後面（背面）との間には、各緩衝部材１３２の厚み（前後方向の長さ）の分だけ空隙Ｓ１，Ｓ１が形成される。各緩衝部材１３２の厚みは、挟持による圧縮を受けても、光学シート群２の厚みより長い。
光学シート群２の上辺部及び下辺部は、空隙Ｓ１，Ｓ１に遊挿されている。光学シート群２の上端及び下端と緩衝部材１３２，１３２とは適長離隔配置されている。
【００３３】
縦支持片３３，３３は表示パネル１１の縦辺部である左辺部及び右辺部を支持すると共に、光学シート群２の左辺部及び右辺部を支持する。表示パネル１１の左辺部及び右辺部は、緩衝部材１３１並びに光学シート群２の左辺部及び右辺部を介して、ベゼル１２の前面部１２１とＰシャーシ３の縦支持片３３，３３との間に挟持されている。
換言すれば、光学シート群２の左辺部及び右辺部は、表示パネル１１の左辺部及び右辺部とＰシャーシ３の縦支持片３３，３３との間に挟持されている。
【００３４】
つまり、光学シート群２の周縁部の一部（左辺部及び右辺部）は、表示パネル１１とＰシャーシ３との挟持によって固定されている。一方、光学シート群２の周縁部の残部（上辺部及び下辺部）には、表示パネル１１とＰシャーシ３との挟持による固定が為されていない。
このように、本実施の形態では、光学シート群２の一の対向２辺部の対向する部分が挟持されており、他の対向２辺部（少なくとも下辺部）が挟持されていない。挟持されている一の対向２辺部は２個の縦辺部である。
【００３５】
本実施の形態の光源装置４は、導光板４１、反射シート４２、光源４３，４３、及びＢＬシャーシ４４を有する。
【００３６】
導光板４１は矩形板状になしてある。導光板４１は、例えばアクリル樹脂を用いてなる。
導光板４１の内部に入射した光は、導光板４１の前面４１１から出射する（即ち、導光板４１は面発光する）。このために、導光板４１の後面４１２には、図示しない複数の反射部が設けられている。反射部に入射した光は、前面４１１側へ反射する。
導光板４１の周縁部は、Ｐシャーシ３の横支持片３２，３２及び縦支持片３３，３３に対向配置されている。導光板４１の周縁部とＰシャーシ３の横支持片３２，３２及び縦支持片３３，３３との間には、遮光性を有する矩形枠状の緩衝部材１３３が配されている。
【００３７】
反射シート４２は矩形状になしてある。反射シート４２は導光板４１の後面４１２を覆っている。
【００３８】
導光板４１の上方及び下方には、光源４３，４３が１個ずつ配されている。光源４３，４３の前方には、Ｐシャーシ３の横支持片３２，３２が配されている。
各光源４３は、複数個のＬＥＤ４３１，４３１，…とＬＥＤ基板４３２とを備えている。
ＬＥＤ基板４３２は、左右方向に長い横姿勢の矩形状になしてある。
上方（又は下方）の光源４３が備えるＬＥＤ４３１，４３１，…は、ＬＥＤ基板４３２の下面（又は上面）にて左右方向に一列に等配実装してある。上方（又は下方）の光源４３が備えるＬＥＤ４３１，４３１，…と導光板４１の上端面（又は下端面）とは、適長離隔して対向配置されている。
光源４３，４３が発した光は、導光板４１を透過しない限り、表示パネル１１及び光学シート群２に入射することはない。
【００３９】
ＢＬシャーシ４４は、後面部４４１と側面部４４２とを有する。
ＢＬシャーシ４４は、図示しないヒートシンクを介して各光源４３を支持している。ＢＬシャーシ４４の後面部４４１とＰシャーシ３の横支持片３２，３２及び縦支持片３３，３３との間には、緩衝部材１３３を介して導光板４１及び反射シート４２が挟持されている。ＢＬシャーシ４４の側面部４４２は、Ｐシャーシ３の基部３１における横支持片３２，３２及び縦支持片３３，３３の突設位置よりも後ろ側を基部３１の内側から支持している。
【００４０】
なお、光源装置４は、光源４３，４３に替えて、反射シート４２の背面側に位置するようＢＬシャーシ４４に支持された光源（例えば蛍光管を用いてなるもの）を備えていてもよい。この場合、光源装置４は、導光板４１に替えて、拡散板を備えていてもよい。
【００４１】
光源４３，４３のＬＥＤ４３１，４３１，…が発した光は、導光板４１の上端面又は下端面を透過して導光板４１の内部に入射する。導光板４１の内部に入射した光は、導光板４１の前面４１１、後面４１２、又は反射部にて反射し、やがて前面４１１を透過して導光板４１の外部へ出射する。導光板４１の内部に入射した光の一部は、後面４１２を透過する（即ち漏光が生じる）。導光板４１の後面４１２からの漏光は、反射シート４２にて反射し、再び導光板４１の内部に入射する。
【００４２】
導光板４１の前面４１１を透過して外部へ出射した光は、光学シート群２を透過してから表示パネル１１の後面を透過して表示パネル１１の内部に入射する。即ち、光源装置４が発した光が、光学シート群２による拡散及び集光等を経て、表示パネル１１を背面側から照明する。
表示パネル１１の内部に入射した光は、表示パネル１１を透過するか、又は、表示パネル１１の通過を遮断される。この結果、表示パネル１１の表示領域に映像が表示される。
本実施の形態の導光板４１及び反射シート４２は、光源４３，４３が発した光を表示パネル１１の背面側へ導く導光部材として機能する。
【００４３】
次に、表示装置１の組み立て手順について説明する。
作業者は、ＢＬシャーシ４４の後面部４４１の正面側に、反射シート４２、導光板４１、及び緩衝部材１３３をこの順に配置する。また、ＢＬシャーシ４４に、ヒートシンクと共に光源４３，４３を取り付ける。
次に、作業者は、ＢＬシャーシ４４にＰシャーシ３を取り付ける。このとき、ＢＬシャーシ４４の側面部４４２にＰシャーシ３の基部３１の後端部側を支持させる。
【００４４】
次いで、作業者は、Ｐシャーシ３の横支持片３２，３２及び縦支持片３３，３３の正面側に光学シート群２を配置し、縦支持片３３，３３の正面側に緩衝部材１３２，１３２を配置する。
次に、作業者は、表示パネル１１の上辺部及び下辺部とＰシャーシ３の横支持片３２，３２との間に緩衝部材１３２，１３２を挟み、表示パネル１１の左辺部及び右辺部とＰシャーシ３の縦支持片３３，３３との間に光学シート群２を挟む。
この結果、光学シート群２の左辺部及び右辺部は表示パネル１１とＰシャーシ３との間に挟持され、光学シート群２の上辺部及び下辺部は表示パネル１１とＰシャーシ３との間に形成されている空隙Ｓ１，Ｓ１に遊びを有して挿入される。
【００４５】
次いで、作業者は、表示パネル１１の正面側に緩衝部材１３１を配置してから、ベゼル１２をＰシャーシ３に取り付ける。このとき、作業者は、ベゼル１２の前面部１２１と表示パネル１１との間に緩衝部材１３１を挟み、ベゼル１２の側面部１２２をＰシャーシ３の基部３１に取り付ける。
【００４６】
以上のような表示装置１においては、光学シート群２は、特許文献１に記載の光学シートのように敢えて湾曲配置する必要がないので、表示パネル１１に平行になるよう平坦に配されている。何故ならば、光学シート群２の左辺部及び右辺部が挟持されており、光学シート群２の左辺部と右辺部との間に適宜の張力を与えることによって、光学シート群２の姿勢を平坦に維持することができるからである。即ち、光学シート群２の座屈が生じ難いからである。
【００４７】
光学シート群２を平坦に配置することは、湾曲配置よりも容易である。故に、表示装置１の組立性を向上させることができる。
光学シート群２を表示パネル１１に平行に配置することは、光学シート群２を透過した光が表示パネル１１に均等に入射し易いことを意味する。つまり、表示パネル１１が均等に照明されるので、表示装置１の表示品位を向上させることができる。
【００４８】
光学シート群２の左辺部及び右辺部が挟持によって固定されていることは、光学シート群２の無用な振動を抑制する効果を奏する。従って、光学シート群２の無用な振動に起因する表示パネル１１の損傷が抑制される。
【００４９】
一方、光学シート群２の上辺部及び下辺部には、挟持による固定が為されていない。これは、光学シート群２の熱膨張時に、光学シート群２の上方及び下方への伸びが阻害されないことを意味する。しかも、光学シート群２の上辺部及び下辺部は、左辺部及び右辺部に比べて、光源４３，４３に近いので、光源４３，４３が発した熱が伝達し易い。つまり、光学シート群２の上辺部及び下辺部は、左辺部及び右辺部に比べて熱膨張し易い。特に、光学シート群２の下辺部は、熱膨張による伸びのみならず自重による伸びも生じる。
以上のことから、光学シート群２の上辺部及び下辺部が挟持されていないことは、光学シート群２の伸びが阻害されることに起因する光学シート群２の無用な変形を好適に抑制することができる。
【００５０】
なお、光源４３，４３は、導光板４１の左右両側端面に対向配置されている構成でもよい。この場合、光学シート群２の上辺部及び下辺部が挟持によって固定され、光学シート群２の左辺部及び右辺部には挟持による固定がなされていない構成でもよい。
また、光源４３，４３の一方のみが備えられている構成でもよい。上側（又は下側）の光源４３のみが備えられている場合、光源４３から遠い方、即ち、光学シート群２の下辺部（又は上辺部）は、挟持によって固定されていてもよい。
【００５１】
実施の形態  ２．
図５及び図６は、本発明の実施の形態２に係る表示装置１における光学シート群２の右辺上部近傍及び右辺下部近傍の構成を略示する断面図である。図５及び図６は実施の形態１の図３に対応する。
図７は、表示装置１が備える光学シート群２の挟持／非挟持範囲を略示する正面図である。図７は実施の形態１の図４に対応し、図中のハッチング部分は光学シート群２が挟持されている範囲を示している。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
【００５２】
本実施の形態の表示装置１は、下側の光源４３を備えており、上側の光源４３を備えていない。
本実施の形態の表示装置１が備えるＰシャーシ３は、実施の形態１の縦支持片３３，３３に替えて、縦支持片３４，３４を有している。
【００５３】
縦支持片３４，３４の構成は縦支持片３３，３３と略同様である。ただし、各縦支持片３４の下半分における先端部分の正面側には、Ｌ字切り欠き状の凹部３５が設けられている。
つまり、縦支持片３４，３４の上半分の構成は縦支持片３３，３３と同様の構成であるが、縦支持片３４，３４の下半分の構成は縦支持片３３，３３に凹部３５，３５が設けられたような構成である。
凹部３５，３５の内面と表示パネル１１との間には、空隙Ｓ２，Ｓ２が形成される。各空隙Ｓ２の前後方向の長さ（表示パネル１１の後面から凹部３５の後内面までの長さ）は、光学シート群２の厚みよりも長い。
【００５４】
光学シート群２の左辺部及び右辺部の上半部は、表示パネル１１の左辺部及び右辺部とＰシャーシ３の縦支持片３４，３４との間に挟持されている。
一方、光学シート群２の左辺部及び右辺部の下半部は、空隙Ｓ２，Ｓ２に遊挿されている。光学シート群２の左端（及び右端）と左側（及び右側）の空隙Ｓ２の左内面（及び右内面）とは適長離隔配置されている。
【００５５】
実施の形態１では、表示パネル１１と縦支持片３３，３３との間に光学シート群２が介在しているので、両者間に緩衝部材は配されていない。
本実施の形態では、表示パネル１１と縦支持片３４，３４の先端部分以外との間に、各縦棒状の緩衝部材１３４，１３４が配されている。表示パネル１１と縦支持片３４，３４との間に挟持されて圧縮を受けている緩衝部材１３４，１３４夫々の厚みは、光学シート群２の厚みと同程度である。
【００５６】
本実施の形態の光学シート群２は、光学シート群２の左辺部及び右辺部における光源４３から遠い部分（即ち上半分）は挟持によって固定されている。一方、光学シート群２の左辺部及び右辺部における光源４３に近い部分（即ち下半分）には、挟持による固定が為されていない。
【００５７】
つまり、光学シート群２において、光源４３が発した熱が伝達し易く、熱膨張及び自重に起因する伸びが生じ易い部分は固定されていない。故に、光学シート群２の伸びが阻害されることに起因する光学シート群２の無用な変形を好適に抑制することができる。
一方、光学シート群２において、光源４３が発した熱が伝達し難く、熱膨張及び自重に起因する伸びが生じ難い部分の少なくとも一部は固定されているので、光学シート群２の無用な振動が抑制され、光学シート群２の無用な振動に起因する表示パネル１１の損傷が抑制される。
【００５８】
実施の形態  ３．
図８は、本発明の実施の形態３に係る表示装置１が備える光学シート群２の挟持／非挟持範囲を略示する正面図である。図８は実施の形態２の図７に対応し、図中のハッチング部分は光学シート群２が挟持されている範囲を示している。
本実施の形態の表示装置１は、実施の形態１，２の表示装置１と略同様の構成である。以下では、実施の形態１，２との差異について説明し、その他、実施の形態２に対応する部分には同一符号を付してそれらの説明を省略する。
【００５９】
本実施の形態の表示装置１は、実施の形態１における上側の光源４３を備えており、下側の光源４３を備えていない。
本実施の形態の表示装置１が備えるＰシャーシ３は実施の形態２の縦支持片３４，３４とほぼ同様の縦支持片３４，３４を有している。ただし、本実施の形態の縦支持片３４，３４には、実施の形態２の凹部３５，３５に替えて、凹部３６，３６が設けられている。
【００６０】
各凹部３６は、縦支持片３４の上半分における先端部分の正面側に、Ｌ字切り欠き状に設けられている。
つまり、縦支持片３４，３４の下半分の構成は実施の形態１の縦支持片３３，３３と同様の構成であるが、縦支持片３４，３４の上半分の構成は縦支持片３３，３３の凹部３５，３５と同様の凹部３６，３６が設けられたような構成である。
凹部３６，３６の内面と表示パネル１１との間には、実施の形態２の空隙Ｓ２，Ｓ２と同様の空間が形成される。
【００６１】
光学シート群２の左辺部及び右辺部の下半部は、表示パネル１１の左辺部及び右辺部とＰシャーシ３の縦支持片３４，３４との間に挟持されている。
一方、光学シート群２の左辺部及び右辺部の上半部は、凹部３６，３６の内面と表示パネル１１との間の空隙に遊挿されている。
【００６２】
本実施の形態の光学シート群２は、光学シート群２の左辺部及び右辺部における光源４３から遠い部分（即ち下半分）は挟持によって固定されている。一方、光学シート群２の左辺部及び右辺部における光源４３に近い部分（即ち上半分）には、挟持による固定が為されていない。
【００６３】
つまり、光学シート群２において、光源４３が発した熱が伝達し易く、熱膨張による伸びが生じ易い部分は固定されていないので、光学シート群２の伸びが阻害されることに起因する光学シート群２の無用な変形を好適に抑制することができる。
一方、光学シート群２において、光源４３が発した熱が伝達し難く、熱膨張による伸びが生じ難い部分の少なくとも一部は固定されているので、光学シート群２の無用な振動が抑制され、光学シート群２の無用な振動に起因する表示パネル１１の損傷が抑制される。
【００６４】
今回開示された実施の形態は、全ての点で例示であって、制限的なものではないと考えられるべきである。本発明の範囲は、上述した意味ではなく、請求の範囲と均等の意味及び請求の範囲内での全ての変更が含まれることが意図される。
また、本発明の効果がある限りにおいて、表示装置１に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００６５】
１    表示装置
１１  表示パネル
２    光学シート群
２１  光学シート
３    Ｐシャーシ（支持部）
４    光源装置
４１  導光板（導光部材）
４２  反射シート（導光部材）
４３  光源
【図１】
2016002027.tif 000003
【図２】
2016002027.tif 000004
【図３】
2016002027.tif 000005
【図４】
2016002027.tif 000006
【図５】
2016002027.tif 000007
【図６】
2016002027.tif 000008
【図７】
2016002027.tif 000009
【図８】
2016002027.tif 000010
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
表示パネルと、
該表示パネルを背面側から照明する光源装置と、
前記表示パネル及び光源装置の間に配されている光学シートと、
該光学シートを支持するための支持部と
を備える表示装置において、
前記光学シートの周縁部の一部は前記表示パネルと前記支持部とに挟持されており、
前記光学シートの周縁部の残部は前記表示パネルと前記支持部とに挟持されておらず、
前記光源装置は、光源と該光源が発した光を前記表示パネルの背面側へ導く導光部材とを有しており、
前記周縁部の前記光源から遠い部分の少なくとも一部は挟持されており、
前記周縁部の前記光源に近い部分は挟持されていないことを特徴とする表示装置。
【請求項２】
前記光学シートは矩形状をなし、
前記光学シートの一の対向２辺部の対向する部分が挟持されていることを特徴とする請求項１に記載の表示装置。
【請求項３】
前記光学シートは縦姿勢に配されており、
前記一の対向２辺部は２個の縦辺部であり、
前記光学シートの少なくとも下辺部が前記表示パネルと前記支持部とに挟持されていないことを特徴とする請求項２に記載の表示装置。
【国際調査報告】
2016002027.tif 000011
2016002027.tif 000012